(57)【要約】【課題】長尺であっても元径の拡大が抑えられ、且つ第１番節等の抜脱が防止される釣竿の提供。【解決手段】この釣竿１０は、延べ竿である。釣竿１０は、第１番節１１〜元節１６を有する。第１番節１１は、第２番節１２に対して振出形式で継がれている。第２番節１２と第３番節１３、第３番節１３と第４番節１４、第４番節１４と第５番節１５、第５番節と元節１６は、それぞれ順並継形式で継がれている。第１番節１１の後端部２１に固着防止材２０が塗布されている。固着防止材２０は、上記後端部２１に点在する。固着防止材２０は、既知のゴム系塗料が採用される。【選択図】図２
2018134056.tif 000002
【特許請求の範囲】
【請求項１】
第１番節が第２番節に対して振出形式で継がれ、その他の隣り合う節が全て順並継形式で継がれる釣竿。
【請求項２】
第１番節が第２番節に対して振出形式で継がれ、第２番節が第３番節に対して振出形式で継がれ、その他の隣り合う節が全て順並継形式で継がれる釣竿。
【請求項３】
上記第１番節の後端部の外周面のうち上記第２番節とオーバーラップする部分に、固着防止層が形成されている請求項１に記載の釣竿。
【請求項４】
上記第１番節の後端部の外周面のうち上記第２番節とオーバーラップする部分並びに上記第２番節の後端部の外周面のうち上記第３番節とオーバーラップする部分に、固着防止層が形成されている請求項２に記載の釣竿。
【請求項５】
上記固着防止層は、ゴム系塗料又はアクリルウレタン系塗料からなる請求項３又は４に記載の釣竿。
【請求項６】
上記ゴム系塗料又はアクリルウレタン系塗料は、上記第１番節の後端部及び第２番節の後端部のうち少なくともいずれか一方に塗装部位が点在するように所定位置にのみ塗布されている請求項５に記載の釣竿。
【請求項７】
上記第１番節の後端部の外周面のうち上記第２番節とオーバーラップする部分に、長手方向に延びる凹条が設けられている請求項１に記載の釣竿。
【請求項８】
上記第１番節の後端部の外周面のうち上記第２番節とオーバーラップする部分並びに上記第２番節の後端部の外周面のうち上記第３番節とオーバーラップする部分に、長手方向に延びる凹条が設けられている請求項２に記載の釣竿。
【発明の詳細な説明】
【技術分野】
【０００１】
この発明は、釣竿の構造に関するものである。
【背景技術】
【０００２】
ターゲットに応じて釣竿の仕様はさまざまである。釣竿の仕様は、釣用リールが装着されるものであるかどうかで大きく二つに分かれる。釣用リールを装着することができないタイプの釣竿は、「延べ竿」と称される。延べ竿は、一般に複数のブランクから構成される。各ブランクの外径及び内径はそれぞれ異なる。各ブランクは、「節」と称され、長手方向に沿って順に継がれることにより釣竿が構成される。穂先を構成する節の外径は、他のどの節の外径よりも小さい。当該節は「第１番節」と称され、この第１番節に隣り合う節は「第２番節」と称される。同様に、第２番節に隣り合う節は第３番節と称され、順に第４番節、第５番節等と称される。各節の外径は、第１番節から順に大きくなり、最も外径が大きい節は特に「元節」と称され、元節に隣り合う節は特に「元上節」と称されることもある。元節は、釣人が把持する節であり、釣人が元節を握りやすいように一般にグリップを備えている。
【０００３】
釣竿の仕様を表す要素として「調子」と称されるものがある。調子とは、当該釣竿に曲げモーメントが作用した場合の撓みの挙動を示すものである。調子は、当該釣竿の良し悪しを決めるものではなくその性格を表す。この調子を決定する設計上の要素はさまざまであり、ブランクを構成する材料の物性、ブランクの長さや内外径、各ブランクの継形式等が挙げられる。これらの要素は所期の調子が実現されるために重要であり、釣竿の設計者は、意図した調子となるように上記各要素を設計する。ブランクの継形式は、大きく分けて「並継」及び「振出」が広く知られており、「並継」の範疇にも種々の継形式が存在する。各継形式は、それぞれ設計上のメリット及びデメリットがあるが、設計者は、釣竿が所期の性能を発揮するために最適の継形式を採用する（たとえば特許文献１参照）。
【０００４】
特許文献１に開示された釣竿は、竿部材（４）と、竿杵（１）とを有する。竿部材（４）は複数のブランクが振出形式で継がれている。このような継形式が採用された場合、ブランクのテーパが大きくなり、その結果、釣竿の元径も大きくなる。同文献に開示された釣竿が解決しようとする課題は、竿部材（４）が長くなれば元節の外径が拡大し、釣人が竿部材（４）を把持、操作しにくくなることを防止することである。その解決手段として、竿部材（４）の後端部に竿杵（１）が設けられ、釣竿の全長が長くなってもその元径が一定以下となるように設計されている。具体的には、竿杵（１）は、複数のブランクからなり、各ブランクは、その外径が長手方向に沿って拡大しないように逆並継形式で継がれている。つまり、竿杵（１）は竿部材（４）に設けられるアダプタとして機能し、かかる竿杵（１）が設けられることにより、釣竿全体として長尺化されると共に元径の拡大が抑えられている。
【先行技術文献】
【特許文献】
【０００５】
【特許文献１】実開昭５３−５３１８６号公報
【発明の概要】
【発明が解決しようとする課題】
【０００６】
各ブランクが振出形式ではなくたとえば並継形式で継がれた場合、振出形式に比べて釣竿の元径の拡大は抑えられる。しかし、並継形式が採用された場合、次のような問題が生じる。
【０００７】
延べ竿では、釣用仕掛けは、第１番節の先端に直接に連結される。したがって、実釣においてターゲットがヒットすると、延べ竿に曲げモーメントのみならず軸力（引張力）も同時に作用する。そのため、延べ竿を操作する釣人にとっては、体力的に負担が大きくなるが非常にエキサイティングな釣りが可能となる。その一方で、延べ竿の場合、ターゲットがヒットしたとき、前述のように軸力が作用することから、各ブランクが並継形式で継がれていれば、特に第１番節が第２番節から抜けてしまうおそれがある。ターゲットが大型魚であればなおさらである。
【０００８】
本発明はかかる背景のもとになされたものであって、その目的は、長尺であっても元径の拡大が抑えられ、しかも実釣において第１番節等の抜脱が防止される釣竿を提供することである。
【課題を解決するための手段】
【０００９】
(1) 本発明に係る釣竿は、第１番節が第２番節に対して振出形式で継がれ、その他の隣り合う節が全て順並継形式で継がれている。
【００１０】
(2) また、本発明に係る釣竿は、第１番節が第２番節に対して振出形式で継がれ、第２番節が第３番節に対して振出形式で継がれ、その他の隣り合う節が全て順並継形式で継がれている。
【００１１】
これらの発明によれば、第１番節のみが第２番節に対して振出形式で継がれ、あるいは第１番節が第２番節に対して振出形式で継がれ且つ第２番節が第３番節に対して振出形式で継がれるので、各節に軸力（特に引張力）が作用しても第１番節あるいは第２番節が隣り合う節から抜脱することがない。しかも、その他の節は順並継形式で継がれるので、複数の節が継がれた場合であっても元節の外径が抑えられる。
【００１２】
(3) 上記第１番節の後端部の外周面のうち上記第２番節とオーバーラップする部分に、固着防止層が形成されているのが好ましい。また、上記第２番節が上記第３番節に対して振出形式で継がれている場合は、第２番節の後端部の外周面のうち上記第３番節とオーバーラップする部分にも固着防止層が塗布されているのが好ましい。
【００１３】
この構成では、第１番節と第２番節とのオーバーラップ部分及び第２番節と第３番節とのオーバーラップ部分に緩衝材が介在された状態となる。したがって、仮に上記軸力が大きくなったとしても、第１番節及び第２番節の固着が防止される。上記固着防止層は、ゴム系塗料又はアクリルウレタン系塗料からなるのが好ましい。
【００１４】
(4) 上記ゴム系塗料又はアクリルウレタン系塗料は、上記第１番節の後端部及び第２番節の後端部のうち少なくともいずれか一方に塗布されているのが好ましい。すなわち、上記ゴム系塗料又はアクリルウレタン系塗料は、上記第１番節の後端部に塗装部位が点在するように所定位置にのみ塗布されているのが好ましく、上記第２番節が上記第３番節に対して振出形式で継がれている場合には、上記第２番節の後端部に塗装部位が点在するように所定位置にのみ塗布されているのが好ましい。
【００１５】
この構成では、ゴム系塗料又はアクリルウレタン系塗料が点在するので、第１番節と第２番節との接触領域、第２番節と第３番節との接触領域が狭くなる。したがって、高い固着防止効果が発揮される。
【００１６】
(5) 上記第１番節の後端部の外周面のうち上記第２番節とオーバーラップする部分に、長手方向に延びる凹条が設けられていてもよい。また、第２番節が第３番節に対して振出形式で継がれている場合には、上記第２番節の後端部の外周面のうち上記第３番節とオーバーラップする部分にも長手方向に延びる凹条が設けられていてもよい。
【００１７】
この構成によれば、上記凹条が設けられることにより、第１番節と第２番節との接触領域、第２番節と第３番節との接触領域が狭くなる。したがって、仮に上記軸力が大きくなったとしても、第１番節及び第２番節の固着が防止される。
【発明の効果】
【００１８】
この発明によれば、釣竿が延べ竿として構成された場合に、第１番節あるいは第２番節が隣り合う節から抜脱することがない。しかも、他の節は順並継形式で継がれるから、多数の節が継がれて釣竿が長くなった場合でも、元節の外径が抑えられる。
【図面の簡単な説明】
【００１９】
【図１】図１は、本発明の一実施形態に係る釣竿１０の外観斜視図である。
【図２】図２は、釣竿１０の要部の断面形状を模式的に示した図である。
【図３】図３は、第１番節１１の後端部２１を詳細に示す図である。
【図４】図４は、固着防止材２０の形成手順の一例を示す図である。
【図５】図５は、固着防止材２０の形成手順の一例を示す図である。
【図６】図６は、釣竿１０の要部拡大断面図である。
【図７】図７は、本実施形態の第１の変形例に係る第１番節４１の要部拡大図である。
【図８】図８は、本実施形態の第２の変形例に係る第１番節５１の要部拡大図である。
【発明を実施するための形態】
【００２０】
以下、本発明の好ましい実施形態が、適宜図面が参照されながら説明される。なお、本実施の形態は、本発明に係る釣竿の一態様にすぎず、本発明の要旨を変更しない範囲で実施態様が変更されてもよいことは言うまでもない。
【００２１】
図１は、本発明の一実施形態に係る釣竿１０の外観斜視図である。
【００２２】
この釣竿１０は、いわゆる延べ竿であって、６本のブランクからなる。各ブランクは、先端側から順に第１番節１１、第２番節１２、第３番節１３、第４番節１４、第５番節１５及び第６番節１６と称され、第６番節１６は特に元節と称される。元節１６はグリップ１７を備えており、釣人はグリップ１７を把持することにより釣竿１０を容易に操作することができる。
【００２３】
各節１１〜１６は、既知の要領で成形される。たとえば、カーボン繊維強化樹脂シート（プリプレグ）が所定形状に裁断され、これがマンドレルの周囲に巻回される。このプリプレグは、所定の温度にて熱処理された後にマンドレルが引き抜かれることによって、円筒状の各節１１〜１７が焼成される。
【００２４】
図２は、釣竿１０の要部の断面形状を模式的に示した図である。同図は、第１番節１１から第４番節１４までを示している。
【００２５】
本実施形態に係る釣竿１０の特徴とするところは、第１番節１１が第２番節１２に対して振出形式で継がれ、第２番節１２と第３番節１３、第３番節１３と第４番節１４、第４番節１４と第５番節１５、第５番節と元節１６とは、それぞれ順並継形式で継がれている点である。これにより、釣竿１０は、多数の節を有する長尺設計がなされた場合であっても、元節１６の外径が極端に大きくならず、しかも、実釣における第１番節１１の抜脱も防止される。
【００２６】
第１番節１１は、先端から後端に向かって（矢印２４の向き）外径が漸次拡大する細長棒状に形成されている。本実施形態では、第１番節１１は、いわゆる２ピース構造を備えており、ブランク１８及びソリッド棒１９を有する。ソリッド棒１９は、接着剤等によりブランク１８に固着されている。ブランク１８の後端部の外径は、第２番節１２の先端部の内径よりも大きく、第２番節１２から長手方向に（同図において矢印２４と反対の向き）引き出された第１番節１１は、第２番節１２と嵌合し保持される。もっとも、第１番節１１は、ソリッド棒１９を備えずに全体が単一の円筒状に形成されていてもよいし、全体が中実棒により形成されていてもよい。なお、図示されていないが、第１番節１１の先端にリリアンが設けられていてもよい。
【００２７】
本実施形態では、第１番節１１の後端外径は、２．４７ｍｍ〜３．７１ｍｍに設定され、後端部テーパ（外径テーパ）は、２．０／１０００〜３．０／１０００に設定されている。また、第２番節１２の先端内径は、２．４３ｍｍ〜３．６５ｍｍに設定され、先端部テーパ（内径テーパ）は、２．０／１０００〜３．０／１０００に設定されている。さらに、第１番節１１の後端部２１に固着防止材２０が設けられている。この固着防止材２０については、後に詳述される。
【００２８】
第２番節１２は、全体として先端から後端（矢印２４の向き）に向かって外径が漸次拡大する細長棒状に形成されている。第２番節１２は、第３番節１３に対して順並継形式で継がれているから、第２番節１２の後端部２２は、長手方向後端側に向かって漸次縮径されている。本実施形態では、この後端部２２のテーパＴ１（外径テーパ）は、２．３／１０００〜３．３／１０００に設定されている。第３番節１３も全体として先端から後端（矢印２４の向き）に向かって外径が漸次拡大する細長棒状に形成されている。第２番節１２の後端部２２の最大外径は、第３番節１３の先端部２３の最大内径よりも大きい。第３番節１３の先端部２３の内径は、長手方向後端側に向かって漸次縮小されている。本実施形態では、この先端部２３のテーパＴ２（内径テーパ）は、２．０／１０００〜３．０／１０００に設定されている。ただし、常にＴ１＞Ｔ２が成立している。
【００２９】
第３番節１３は、第４番節１４に対して順並継形式で継がれているから、第３番節１３の後端部２５は、長手方向後端側に向かって漸次縮径されている。本実施形態では、この後端部２３のテーパＴ３（外径テーパ）は、２．３／１０００〜３．３／１０００に設定されている。第４番節１４も全体として先端から後端（矢印２４の向き）に向かって外径が漸次拡大する細長棒状に形成されている。第３番節１３の後端部２５の最大外径は、第４番節１４の先端部２６の最大内径よりも大きい。第４番節１４の先端部２６の内径は、長手方向後端側に向かって漸次縮小されている。本実施形態では、この先端部２６のテーパＴ４（内径テーパ）は、２．０／１０００〜３．０／１０００に設定されている。ただし、常にＴ３＞Ｔ４が成立している。
【００３０】
同様に、第５番節１６及び元節１６も全体として先端から後端に向かって外径が漸次拡大する細長棒状に形成されている。第４番節１４及び第５番節１５並びに第５番節１５及び元節１６も順並継形式で継がれており、第４番節１４の後端部３０の外径テーパ、第５番節１５の内径テーパ、第５番節１５の後端部の外径テーパ、元節１６の先端部の内径テーパは、それぞれ、上記Ｔ１及びＴ２の関係、あるいは上記Ｔ３及びＴ４の関係と同様である。
【００３１】
図３は、第１番節１１の後端部２１を詳細に示す図であり、（ａ）は拡大斜視図、（ｂ）は（ａ）におけるＢ−矢視図である。
【００３２】
第１番節１１の後端部２１に上記固着防止材２０（特許請求の範囲に記載された「固着防止層」に相当）が設けられている。本実施形態では、この固着防止材２０は、ゴム系塗料からなり、上記後端部２１の所定位置に塗布されている。ゴム系塗料としては、たとえばネオラバサン（商品名：武蔵塗料株式会社製）が好適である。具体的には、同図（ａ）が示すように、固着防止材２０は、薄肉円板状を呈し、直径が１．０ｍｍ〜５．０ｍｍ、肉厚が０．０１ｍｍ〜０．１ｍｍに設定される。同図（ｂ）が示すように、固着防止材２０は、上記後端部２１の周方向に沿って対称に４箇所に設けられている。もっとも、固着防止材２０の位置は当該４箇所に限定されるものではなく、上記後端部２１の周方向に分散するように配置されていればよい。本実施形態では、固着防止材２０は、長手方向に沿って４箇所乃至３箇所に配置されている。もっとも、固着防止材２０は、長手方向に沿って複数箇所に配置されていれば、その数は特に限定されるものではない。ただし、固着防止材２０が長手方向に配置される領域は、第１番節１１と第２番節１２とのオーバーラップ領域２８（図２参照）に限定される。なお、上記ゴム系塗料に代えて、アクリルウレタン系塗料であってもよい。その場合、クリア系塗料が採用されることが望ましい。クリア系塗料としては、ＣＬＥＡＲ（１６３８）（商品名：ミクニペイント株式会社製）が好適である。
【００３３】
図４及び図５は、上記固着防止材２０の形成手順の一例を示す図である。
【００３４】
図４が示すように、マスキングシート２７が第１番節１１の後端部２１に貼り付けられる。このマスキングシート２７は、たとえばポリエチレンテレフタレート（ＰＥＴ）からなり、肉厚は０．０１ｍｍ〜０．１ｍｍである。マスキングシート２７に円形の孔２９が貫通形成されている。マスキングシート２７が上記後端部２１に貼り付けられた状態で、上記孔２９は、長手方向及び周方向に沿って並設される。
【００３５】
図５が示すように、固着防止材２０がマスキングシート２７の上から塗布される。これにより、固着防止材２０は、上記孔２９に進入し、上記後端部２１の外周面に付着する。固着防止材２０が乾燥した後、マスキングシート２７が剥がされることにより、図３が示すように固着防止材２０が第１番節１１の後端部２１に固着する。
【００３６】
図６は、釣竿１０の要部拡大断面図であり、第１番節１１と第２番節１２との継部の構造を模式的に示している。
【００３７】
第１番節１１は、第２番節１２に対して振出形式で継がれているから、第２番節１２から引き出された状態で、後端部２１が第２番節１２の先端部３１と嵌合している。第１番節１１に固着防止材２０が配置されているから、第１番節１１を構成するブランク１８は第２番節１２と直接に接触することはなく、固着防止材２０が第２番節１２の内壁面と当接する。前述のように第１番節１１の後端部２１及び第２番節１２の先端部３１に所定のテーパが設定されているから、第１番節１１が第２番節１２から引き出されることによって、上記固着防止材２０は、第２番節１２の内壁面に押圧される。したがって、第１番節１１は、第２番節１２に確実に保持される。しかも、固着防止材２０が設けられているから、第１番節１１と第２番節１２との間に隙間が形成され、仮に第１番節１１が第２番節１２から強く引き出されたとしても、両者の固着が防止される。
【００３８】
本実施形態に係る釣竿１０は、第１番節１１のみが第２番節１２に対して振出形式で継がれているから、実釣においてたとえば大型魚がヒットし、大きな軸力（引張力）が第１番節１１に作用した場合であっても、第１番節１１が第２番節１２から引き抜かれることがない。しかも、第１番節１１は上記固着防止材２０を備えているから、大きな軸力が第１番節１１に作用したとしても、第１番節１１が第２番節１２に固着してしまうことがない。さらに、第２番節１２から元節１６は互いに順並継形式で継がれているから、節の数が多くなり、釣竿１０の全長が長くなったとしても、元節１６の外径の拡大が抑えられる。したがって、釣人は、釣竿１０を容易に把持し、簡単に操作することができる。
【００３９】
本実施形態では、第１番節１１と第２番節１２とが振出形式で継がれているが、第２番節１２及び第３番節１３も振出形式で継がれていてもよい。実釣において釣竿１０に軸力が作用した場合、節の抜脱が懸念されるのは第１番節１１及び第２番節１２である。したがって、第１番節１１のみならず第２番節１２も振出形式で継がれることにより、実釣中における節の抜脱が確実に防止される。この場合においても、第２番節１２と第３番節１３との間に固着防止材２０が介在されていることが望ましい。
【００４０】
図３が示すように、固着防止材２０は、第１番節１１の後端部２１に点在するように配置されているから、第１番節１１と第２番節１２との接触領域、すなわち、固着防止材２０と第２番節１２との接触面積が小さくなる。したがって、非常に高い固着防止効果が発揮される。
【００４１】
図７は、本実施形態の第１の変形例に係る第１番節４１の要部拡大図である。
【００４２】
この変形例に係る第１番節４１が上記実施形態に係る第１番節１１と異なるところは、上記第１番節１１では、固着防止材２０が第１番節１１の後端部２１に点在していたのに対し、上記第１番節４１では、当該第１番節４１の後端部４２の全体に固着防止材４３が塗布されている点である。この固着防止材４３は、上記固着防止材２０と同様のゴム系塗料であっても良いし、アクリルウレタン系塗料であってもよい。その場合、クリア系塗料が採用されることが望ましい。クリア系塗料としては、ＣＬＥＡＲ（１６３８）（商品名：ミクニペイント株式会社製）が好適である。固着防止材４３の肉厚は、０．０１ｍｍ〜０．１ｍｍに設定され得る。固着防止材４３が塗布されている領域４４（長手方向に沿う領域）は、上記オーバーラップ領域２８に対して所定の比率になるように設計されている。本変形例では、長手方向に沿うオーバーラップ領域２８は、４０ｍｍに設定され、上記領域４４は、３０ｍｍに設定されている。もっとも、オーバーラップ領域２８及び上記領域４４は、特に限定されるものではない。ただし、上記領域４４は、オーバーラップ領域２８よりも小さい。
【００４３】
図８は、本実施形態の第２の変形例に係る第１番節５１の要部拡大図である。
【００４４】
この変形例に係る第１番節５１が上記実施形態に係る第１番節１１と異なるところは、上記第１番節１１では、固着防止材２０が第１番節１１の後端部２１に点在していたのに対し、上記第１番節５１では、当該第１番節５１の後端部５２に複数の溝５３（特許請求の範囲に記載された「凹条」に相当）が設けられている点である。この溝５３は、第１番節５１の後端部５２の外周面に設けられており、後端５４から先端に向かう向き（矢印２４の向き）に延びている。本変形例では、８本の溝５３が後端部５２に設けられており、周方向に沿って均等に放射状に配置されている。
【００４５】
溝５３の長さ５５（長手方向に沿う長さ）は、上記オーバーラップ領域２８に対して所定の比率になるように設計されている。本変形例では、長手方向に沿うオーバーラップ領域２８は４０ｍｍに設定され、溝５３の長さは、３０ｍｍに設定されている。もっとも、オーバーラップ領域２８及び上記領域４４は、特に限定されるものではない。ただし、溝５３の長さ５５は、オーバーラップ領域２８よりも小さい。また、本変形例では、溝５３の幅は、０．５ｍｍ〜５．０ｍｍに設定され、溝５３の深さは、０．１ｍｍ〜３．０ｍｍに設定される。溝５３の数は８本に限定されるものではない。また、溝５３は、周方向に均等に配置されていなくても、分散されて配置されていればよい。
【００４６】
この溝５３が設けられることにより、第１番節５１と第２番節１２との接触面積が小さくなる。したがって、仮に釣竿１０に大きな軸力が加わったとしても、第１番節５１の固着が防止される。
【００４７】
上記各変形例では、第１番節４１、５１の構造を示しているが、第２番節２１が第３番節３１に対して振出形式で継がれる場合には、第２番節１２にも上記各変形例が適用され得る。
【符号の説明】
【００４８】
１０・・・釣竿
１１・・・第１番節
１２・・・第２番節
１８・・・ブランク
２０・・・固着防止材
２１・・・後端部
２２・・・後端部
２３・・・先端部
２４・・・矢印
２５・・・後端部
２６・・・先端部
２７・・・マスキングシート
２８・・・オーバーラップ領域
２９・・・孔
３０・・・後端部
３１・・・先端部
４１・・・第１番節
４２・・・後端部
４３・・・固着防止材
４４・・・領域
５１・・・第１番節
５２・・・後端部
５３・・・溝
５４・・・後端部
５５・・・長さ
【図１】
2018134056.tif 000003
【図２】
2018134056.tif 000004
【図３】
2018134056.tif 000005
【図４】
2018134056.tif 000006
【図５】
2018134056.tif 000007
【図６】
2018134056.tif 000008
【図７】
2018134056.tif 000009
【図８】
2018134056.tif 000010